(57)【特許請求の範囲】
【請求項１】
以下を行うようにプログラムされたユーザデバイスが実行する方法であって、
非連続性受信（ＤＲＸ）モードである前記ユーザデバイスが、第１の規定のレートで第１の周波数間測定を行い、前記第１の規定のレートとは異なる第２の規定のレートで第２の無線アクセス技術（ｒａｔ）間測定を行う段階と、
サービングセルから受信した信号の信号条件を判定する段階と、
前記信号条件に基づいて、前記第１の規定のレート及び前記第２の規定のレートのうちの１つ以上を調整する段階と、
を含む、方法。
【請求項２】
前記第１の規定のレートで前記第１の周波数間測定を行う段階は、１つ以上の隣接セルを検出するための検出サイクル、または１つ以上の検出された隣接セルのパラメータを測定するための測定サイクルのうちの少なくとも１つを行う段階を含む、請求項１に記載の方法。
【請求項３】
前記第１の周波数間測定は前記サービングセルとは異なる周波数で隣接セルを測定し、前記第２の無線アクセス技術（ｒａｔ）間測定は前記サービングセルとは異なる無線アクセス技術の隣接セルを測定する、請求項１に記載の方法。
【請求項４】
前記信号条件を判定する段階は、前記受信した信号のセル品質値を測定する段階を含み、前記信号条件は、前記セル品質値に等しい、請求項１に記載の方法。
【請求項５】
前記信号条件を判定する段階は、前記受信した信号のセル品質値を測定する段階を含み、前記信号条件は、前記セル品質値と、最低限必要とされる品質レベルおよび電力補償値の合計との差に実質的に等しい、請求項１に記載の方法。
【請求項６】
前記信号条件に基づいて、前記第１の規定のレート及び前記第２の規定のレートのうちの１つ以上を調整する段階は、
前記信号条件が第１の信号条件閾値未満であったときに、前記第１の規定のレートまたは第２の規定のレートを第１のレートに調整する段階と、
前記信号条件が前記第１の信号条件閾値以上であったときに、前記第１の規定のレートまたは第２の規定のレートを第２のレートに調整する段階と、を含み、
前記第２のレートは前記第１のレート未満である、請求項１に記載の方法。
【請求項７】
前記信号条件に基づいて、前記第１の規定のレート及び前記第２の規定のレートのうちの１つ以上を調整する段階は、
前記信号条件が第１の信号条件閾値に向かって減少するにつれて、前記第１の規定のレートまたは前記第２の規定のレートを段々に増加させる段階と、
前記信号条件が前記第１の信号条件閾値から離れて増加するにつれて、前記規定のレートを段々に低減させる段階と、を含む、請求項１に記載の方法。
【請求項８】
ユーザデバイスであって、
メモリと、
前記メモリに連結された処理デバイスと、を備え、前記処理デバイスは、
前記ユーザデバイスが不連続受信（ＤＲＸ）モードであり、第１の規定のレートで第１の周波数間測定を行い、前記第１の規定のレートとは異なる第２の規定のレートで第２の無線アクセス技術（ｒａｔ）間測定を行い、
サービングセルから受信した信号の信号条件が、信号条件閾値よりも大きいかどうかを判定し、
前記ユーザデバイスが不連続受信（ＤＲＸ）モードであり、前記信号条件が前記信号条件閾値よりも大きかったときに、第１の周波数間測定を行う第１の規定のレートまたは第２の無線アクセス技術（ｒａｔ）間測定を行う第２の規定のレートのうちの１つ以上を低減させる、
ユーザデバイス。
【請求項９】
前記第１の規定のレートまたは前記第２の規定のレートにおける前記低減は、前記ユーザデバイスが前記ＤＲＸモードであるときに、前記ユーザデバイスによる電流ドレインを低減させる、請求項８に記載のユーザデバイス。
【請求項１０】
前記処理デバイスは、前記信号条件が前記信号条件閾値以下であったときに、前記第１の規定のレートまたは前記第２の規定のレートを維持し、前記信号条件に基づいて、前記信号条件がより大きかったときに、前記第１の規定のレートまたは前記第２の規定のレートを第２のレートに低減させる、請求項８に記載のユーザデバイス。
【請求項１１】
前記処理デバイスに連結される通信回路をさらに備え、前記通信回路は、送受信機、または送信機および受信機の少なくとも１つを備える、請求項８に記載のユーザデバイス。
【請求項１２】
前記処理デバイスは、前記受信した信号のセル品質値を測定して、前記信号条件を判定するために、測定モジュールを実行し、前記信号条件は、前記セル品質値に等しい、請求項８に記載のユーザデバイス。
【請求項１３】
前記処理デバイスはさらに、前記信号条件を判定するために、前記セル品質値から、最低限必要とされる品質レベルおよび電力補償値を減算する、請求項１２に記載のユーザデバイス。
【請求項１４】
前記処理デバイスは、前記サービングセルにアクセスしたときに前記ユーザデバイスが使用できる最大送信電力レベル、および前記ユーザデバイスの最大無線周波数（ＲＦ）出力電力を決定し、前記処理デバイスはさらに、計算値を生成するために、前記最大送信電力レベルから前記最大ＲＦ出力を減算し、前記電力補償値は、前記計算値およびゼロのうちの大きい方である、請求項１３に記載のユーザデバイス。
【発明の詳細な説明】
【背景技術】
【０００１】
膨大な数であり、増加し続けるユーザが、音楽、映画、画像、電子ブック等のデジタルメディアアイテムの消費を通して娯楽に興じている。ユーザは、そのようなメディアアイテムを消費するために、種々の電子装置を使用する。そういった電子デバイス（本明細書では、ユーザデバイスおよびユーザ機器と称される）としては、電子ブックリーダー、携帯電話、携帯情報端末（ＰＤＡ）、携帯型メディアプレーヤー、タブレットコンピュータ、ネットブックコンピュータ、ラップトップコンピュータ等が挙げられる。これらの電子デバイスは、デジタルメディアアイテムの消費を可能にするために、通信インフラストラクチャと無線で通信する。一般的に、通信インフラストラクチャは、ユーザ機器（ＵＥ）が非連続受信（ＤＲＸ）モード（例えば、アイドルモード、ＣＥＬＬ＿ＰＣＨ、およびＵＲＡ＿ＰＣＨ）であるときに、ＵＥは、例えば第３世代パートナーシッププロジェクト（３ＧＰＰ）規格等の標準規格で定義されているように、ＵＥに送られる任意のページを復号化するためにスリープモードから周期的に起動し、そして、種々の測定を行うことを必要とする。例えば、３ＧＧＰ規格は、広帯域符号分割多元接続（ＷＣＤＭＡ（登録商標））セルにキャンプオンしたときに、ＵＥがサービングセル測定、隣接セル検出、および隣接セル測定行うよう指示している。これらの測定は、標準規格によって定義されるように、規定のレートで行われる。ＵＥがこれらの測定を行うために作動する時間量は、行われる隣接セル測定の数に依存する。これらの測定を行うためのＵＥの作動が長くなるほど、ＵＥの電流ドレインが大きくなる。
【０００２】
本発明は、下記の詳細な説明から、および本発明の種々の実施形態の添付図面から、より完全に理解されるが、これらは、本発明を特定の実施形態に限定するように解釈されるべきではなく、単に説明および理解のためのものである。
【図面の簡単な説明】
【０００３】
【図１】本発明の実施形態が動作し得る、例示的なセルラーネットワークアーキテクチャの図である。
【図２】ＤＲＸモードレート低減システムを有するユーザデバイスの一実施形態のブロック図である。
【図３】ＤＲＸモードレート低減システムの一実施形態のブロック図である。
【図４】ユーザデバイスがＤＲＸモードで検出サイクルおよび測定サイクルを行う規定のレートを低減させるための方法の一実施形態のフロー図である。
【図５】サービングセルから受信した信号の信号条件に基づいて１組の１つ以上の測定を行うための規定のレートを調整する方法の別の実施形態のフロー図である。
【図６】ＤＲＸモードレート低減を伴わないユーザデバイスのＤＲＸモードを示す図である。
【図７】一実施形態によるＤＲＸモードレート低減を伴うユーザデバイスのＤＲＸモードを示す図である。
【発明を実施するための形態】
【０００４】
ユーザデバイスがＤＲＸモードで検出サイクルおよび測定サイクルを行う規定のレートを低減させるための方法および装置。ＤＲＸモードは、アイドルモード、ＵＲＡ＿ＰＣＨモード、ＣＥＬＬ＿ＰＣＨモード、またはユーザデバイスが、スリープ状態から周期的に起動し、任意のページを周期的に復号化し、そして、サービングセル測定および隣接セル測定を行う、任意の他のモードを含み得る。ユーザデバイスは、任意のモバイルデバイスであり得、その大部分は、ネットワークに接続することができる。ユーザデバイスの例としては、電子ブックリーダー、携帯電話、携帯情報端末（ＰＤＡ）、携帯型メディアプレーヤー、タブレットコンピュータ、ネットブックコンピュータ等が挙げられる。ユーザデバイスは、サーバ（例えば、アイテム提供システム）からコンテンツを得るために、または他の活動を行うために、ネットワークに接続することができる。ユーザデバイスは、１つ以上の異なるタイプのセルラーネットワークに接続することができる。セルラーネットワークは、セルと呼ばれる陸地領域を通じて分配される無線ネットワークであり、各セルには、一般的に基地局として知られる少なくとも１つの固定ロケーション送受信機がある。互いに結合されると、これらのセルは、広範な地理的領域にわたる無線適用範囲を提供する。これは、送受信機のいくつかが送信中に２つ以上のセルを通って移動している場合であっても、ユーザデバイスの多数の携帯型送受信機が、基地局を介して、ネットワークの中のどこでも、互いに通信すること、ならびに固定送受信機および電話機と通信することを可能にする。
【０００５】
一実施形態において、ユーザデバイスがＤＲＸモードであるときに、ユーザデバイスは、規定のレートで１組の１つ以上の測定を行う。ユーザデバイスはまた、サービングセルから受信した信号の信号条件を判定し、そして、ユーザデバイスは、信号条件に基づいて、規定のレートを調整する。一実施形態において、１組の測定は、１つ以上の隣接セルを検出するための検出サイクル、検出された隣接セルの１つ以上のパラメータを測定するための測定サイクル、またはそれらの任意の組み合わせを含む。例えば、測定サイクルは、検出された隣接セルのそれぞれについて周波数内測定を行うこと、検出された隣接セルのそれぞれについて周波数間測定を行うこと、および隣接セルの１つ以上の無線アクセス技術（ｒａｔ）間測定または検出を含み得る。ユーザデバイスは、同じ規定のレートで、または個別の規定のレートでこれらの測定のそれぞれを行う。信号条件に基づいて、ユーザデバイスは、これらの測定のそれぞれの規定のレートまたは個別のレートを調整する。このレート低減は、ユーザデバイスがＤＲＸモードであるときに、ユーザデバイスによる電流ドレインを低減させ得る。
【０００６】
一実施形態において、ユーザデバイスは、３ＧＰＰ規格等の標準規格で定義されているように、規定のレートで、周波数内、周波数間、ならびにｒａｔ間の測定および検出を行う。例えば、ユーザデバイスがＷＣＤＭＡ（登録商標）アイドルモード、ＵＲＡ＿ＰＣＨモード、またはＣＥＬＬ＿ＰＣＨモードであるときに、ユーザデバイスは、３ＧＰＰ規格によって定義されているように、スリープ状態から周期的に起動し、任意のページを周期的に復号化し、そして、サービングセル測定および隣接セル測定を行う。ユーザデバイスの受信機が作動する時間量は、行われる隣接セル測定の数に依存する。ユーザデバイスの受信機の作動がより長くなるほど、ユーザデバイスの電流ドレインが大きくなる。例えば、３ＧＰＰ規格によって、ユーザデバイスは、該規格で規定された規則の通りに、周波数内、周波数間、およびレート間測定を行うように想定される。これらの規則は、特定の測定をいつ行うべきかを指示するために、閾値を使用する。本明細書で説明される実施形態を使用して、ユーザデバイスは、サービングセルの信号が閾値レベル（例えば、ゼロ）を超えたときに、周波数内、周波数間、ならびにｒａｔ間測定および検出のレートを低減させ、ユーザデバイスが、サービングセルの信号が閾値レベル（例えば、マイナス）未満に下がったことを検出したときに、（例えば、標準規格で定義されているような）規定のレートに戻す。これを行うことで、ユーザデバイスの受信機が作動する時間量を大幅に低減させ得、電流ドレインを低減させ得る。例えば、アイドルモードでの測定および検出を半分に低減させることによって、一実施形態において、レートの低減は、約２５〜３０％の電流の節約をもたらし得る。あるいは、レート低減の実施形態は、ユーザデバイスの他の因子に基づいて、ある程度の電流の節約を提供し得る。本明細書で説明される実施形態は、バッテリ寿命を大幅に改善するのを補助し得る。加えて、サービングセルの信号が依然として適度に良好であるときに、レート低減が、より良好な隣接セルへの再選択を遅延させ得るので、これらの実施形態は、ユーザの体験に影響を与えることなく、電流ドレインを低減させ得る。例えば、ユーザデバイスの表示がオフにされたとき、またはユーザデバイスがスリープモードもしくは低電力モードであるときに、ユーザデバイスは、ユーザデバイスがアイドルモードである間に、電流ドレインをさらに低減させるために、ＤＲＸモードを使用し得る。あるいは、ユーザデバイスは、他の条件が適用されるときに、レート低減を行い得る。
【０００７】
一実施形態において、ユーザデバイスは、ユーザデバイスがアイドルモードであるときに、ＤＲＸモードレート低減システムを実行するように構成される、処理デバイスを含む。ＤＲＸモードレート低減システムは、レートの変更を示すために、ユーザデバイスのモデムに表示を送ることができ、モデムは、調整されたレートを使用して、ユーザデバイスによるエネルギー消費を低減させ始める。
【０００８】
図１は、本発明の実施形態が動作し得る、例示的なセルラーネットワークアーキテクチャ１００の図である。セルラーネットワークアーキテクチャ１００は、現在ユーザデバイス１０２を受け持つサービングセル１０４を含む複数のセル１１０と、隣接セル１０６とを含み得る。各セルは、セル内のユーザデバイスと通信するように構成される、基地局１０８を含む。これらのセル１１０は、同じ周波数、異なる周波数、同じ通信タイプ（例えば、ＷＣＤＭＡ（登録商標）、ＧＳＭ（登録商標）、ＬＴＥ、ＣＤＭＡ、ＷｉＭａｘ等）、または異なる通信タイプを使用して、ユーザデバイス１０２と通信し得る。基地局１０８のそれぞれは、ユーザデバイス１０２が、他のユーザデバイス、サーバコンピューティングシステム、電話機デバイス等の他のデバイスと通信することを可能にするために、インターネット、ローカルエリアネットワーク（ＬＡＮ）、公衆交換電話網（ＰＳＴＮ）等の、プライベートネットワーク、パブリックネットワーク１１６、またはこれらの双方に接続され得る。
【０００９】
ユーザデバイス１０２は、異なる機能を伴って様々に構成され、電子ブックリーダー、携帯情報端末、携帯電話、ラップトップコンピュータ、携帯型メディアプレーヤー、タブレットコンピュータ、カメラ、ビデオカメラ、ネットブックコンピュータ、ノートブックコンピュータ、デスクトップコンピュータ、ゲーミングコンソール、ＤＶＤプレーヤー、メディアセンター等の、種々のモバイルコンピューティングデバイスを含み得る。いくつかの実施形態において、ユーザデバイス１０２は、例えば、電子テキスト（例えば、ｅブック、電子雑誌、デジタル新聞）、デジタルオーディオ（例えば、音楽、オーディオブック）、デジタルビデオ（例えば、映画、テレビ、ショートクリップ）、画像（例えば、芸術品、写真）、およびマルチメディアコンテンツを含む、１タイプ以上のメディアアイテムの消費を可能にするように構成される。
【００１０】
一実施形態において、ユーザデバイス１０２は、基地局１０８およびネットワーク１１６を介して、アイテム提供システム１１４と通信する。アイテム提供システム１１４は、アイテム、アップグレード、および／または他の情報を、ネットワーク１１６を介して、アイテム提供システム１１４に登録されたユーザデバイス１０２にダウンロードし得る。アイテム提供システム１１４はまた、ネットワーク１１６を介して、ユーザデバイス１０２から種々の要求、命令、および他のデータも受信し得る。アイテム提供システム１１４は、クライアントサーバネットワーク環境において、サーバマシンとして動作し得る。アイテム提供システム１１４は、上述の機能を提供するために処理および記憶能力を有する、１つ以上のマシン（例えば、１つ以上のサーバコンピュータシステム、ルータ、ゲートウェイ）を含み得る。アイテム提供システム１１４とユーザデバイス１０２との間の通信は、セルラーネットワークアーキテクチャ１００等の任意の通信インフラストラクチャを介して有効にされ得る。そのようなインフラストラクチャの１つの例としては、ワイドエリアネットワーク（ＷＡＮ）および無線インフラストラクチャの組み合わせが挙げられ、ユーザがユーザデバイス１０２を使用して、配線で接続されたリンクを介して、アイテム提供システム１１４に繋がれることなく、アイテムを購入すること、およびアイテムを消費することを可能にする。無線インフラストラクチャは、１つ以上の無線通信システム、有線通信システム、またはそれらの任意の組み合わせ等の、１つまたは複数の無線通信システムによって提供され得る。無線通信システムの１つは、ネットワーク１１６と接続される、ワイヤレスフィデリティ（ＷｉＦｉ）ホットスポットであり得る。無線通信システムの別のものは、図１のセルラーネットワークアーキテクチャ１００で図示されるような、無線キャリアシステムであり得、これは、種々のデータ処理装置、通信タワー等を使用して実装することができる。代替として、または加えて、無線キャリアシステムは、情報をユーザデバイス１０２と交換するために、衛星技術に依存し得る。通信インフラストラクチャはまた、アイテム提供システム１１４と無線通信システム（例えば、１００）との間で情報を受け渡す際の媒介物としての役割を果たし得る、通信を可能にするシステムも含み得る。通信を可能にするシステムは、専用のチャネルを介して、無線通信システムと通信し得、また、例えば、インターネット等のパブリックワイドエリアネットワーク（ＷＡＮ）といった非専用の通信機構を介して、アイテム提供システム１１４と通信し得る。
【００１１】
一実施形態において、ユーザデバイス１０２は、ユーザデバイスが１つ以上の隣接セル１０６を検出するための検出サイクル、または１つ以上の検出された隣接セル１０６のパラメータを測定するための測定サイクルのうちの少なくとも１つを行う初期レートを、ユーザデバイス１０２が低減させることを可能にする、ＤＲＸモードレート低減システムを含む。これは、ユーザデバイス１０２による電流ドレインを低減させ得る。ＤＲＸモードレート低減システムの構成および動作は、図２〜図７に関して下で説明される。
【００１２】
図２は、ＤＲＸモードレート低減システム２２４を有する、ユーザデバイス１０２の一実施形態のブロック図である。ユーザデバイス１０２は、電子ブックリーダー、ＰＤＡ、携帯電話、ラップトップコンピュータ、携帯型メディアプレーヤー、タブレットコンピュータ、カメラ、ビデオカメラ、ネットブックコンピュータ、デスクトップコンピュータ、ゲーミングコンソール、ＤＶＤプレーヤー、メディアセンター等の、任意のタイプのコンピューティングデバイスであり得る。
【００１３】
ユーザデバイス１０２は、１つ以上のＣＰＵ、マイクロコントローラ、フィールドプログラマブルゲートアレイ、または他のタイプのプロセッサ等の、１つ以上の処理デバイス２０２を含む。ユーザデバイス１０２はまた、揮発性および／または不揮発性の記憶装置機構の任意の組み合わせに対応し得る、システムメモリ２０６も含む。システムメモリ２０６は、オペレーティングシステム構成要素３０８、ＤＲＸモードレート低減システム２２４を含むプログラムモジュール２１０、プログラムデータ２１２、セルデータ２２２、および／または他の構成要素を提供する情報を含む。ユーザデバイス１０２は、ＤＲＸモードレート低減システム２２４およびシステムメモリ２０６によって提供される他の命令を実行するための処理ユニット２３０を使用することによって機能を行う。一実施形態において、ユーザデバイス１０２は、本明細書で論じられる方法の任意の１つ以上をユーザデバイスに行わせるための１組の命令を実行する。ユーザデバイスは、ＬＡＮ、イントラネット、エクストラネット、またはインターネットで他のマシンに接続され得る（例えば、ネットワーク化され得る）。ユーザデバイス１０２は、クライアントサーバネットワーク環境においてクライアントマシンとして動作し得る。ユーザデバイス１０２は、任意のマシンであって、そのマシンによって行われるアクションを指定する１組の命令（順次またはその他）を実行することができる、任意のマシンであり得る。さらに、単一のマシンだけが図示されているが、「マシン」という用語はまた、本明細書で論じられる方法の任意の１つ以上を行うために１組（または複数組）の命令を個々にまたは結合的に実行する、任意の１群のマシンも含むと解釈されるものとする。
【００１４】
処理デバイス２０２は、マイクロプロセッサ、中央処理ユニット等の、１つ以上の汎用処理デバイスを表す。より具体的には、処理デバイス２０２は、複合命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、または他の命令セットを実装している１つのプロセッサもしくは命令セットの組み合わせを実装している複数のプロセッサであり得る。処理デバイス２０２はまた、特定用途向け集積回路（ＡＳＩＣ）、フィールドプログラマブルゲートアレイ（ＦＰＧＡ）、デジタル信号プロセッサ（ＤＳＰ）、ネットワークプロセッサ等の、１つ以上の特殊用途処理デバイスでもあり得る。上で説明したように、処理デバイス２０２は、本明細書で論じられる動作およびステップを行うためのＤＲＸモードレート低減システム２２４を実行するように構成される。
【００１５】
ユーザデバイス１０２はまた、１タイプ以上のリムーバブル記憶装置および／もしくは１タイプ以上の非リムーバブル記憶装置（例えば、リードオンリーメモリ（ＲＯＭ）、フラッシュメモリ、同期型ＤＲＡＭ（ＳＤＲＡＭ）等のダイナミックランダムアクセスメモリ（ＤＲＡＭ）、フラッシュメモリ、スタティックランダムアクセスメモリ（ＳＲＡＭ）））から成り得る、データ記憶デバイス２１４も含み得る。データ記憶デバイス２１４は、本明細書で説明される方法または機能の任意の１つ以上を具現化する１組以上の命令（例えば、ＤＲＸモードレート低減システム２２４の命令）を記憶した、コンピュータが読み出し可能な媒体２１６を含み得る。示されるように、ＤＲＸモードレート低減システム２２４の命令はまた、ユーザデバイス１０２によるそれらの実行中に、完全にまたは少なくとも部分的に、システムメモリ２０６内および／または処理ユニット２３０（複数可）内にも存在し得、システムメモリ２０６および処理ユニット２３０（複数可）はまた、コンピュータが読み出し可能な媒体も構成する。ＤＲＸモードレート低減システム２２４の命令はさらに、ネットワークインターフェースデバイスを介して、ネットワーク上で送信または受信され得る。
【００１６】
コンピュータが読み出し可能な記憶媒体２１６は、例示的な実施形態において、単一の媒体であるように示されているが、「コンピュータが読み出し可能な記憶媒体」という用語は、１組以上の命令を記憶する単一の媒体または複数の媒体（例えば、集中または分散データベース、ならびに／または関連するキャッシュおよびサーバ）を含むと解釈されたい。「コンピュータが読み出し可能な記憶媒体」という用語はまた、マシンによって実行するための１組の命令を記憶、符号化、または搬送することができ、かつ本発明の方法の任意の１つ以上をマシンに行わせる、任意の媒体を含むとも解釈されるものとする。故に、「コンピュータが読み出し可能な記憶媒体」という用語は、固体メモリ、光媒体、および磁気媒体を含むが、これらに限定されないと解釈されるものとする。
【００１７】
ユーザデバイス１０２はまた、１つ以上の入力デバイス２１８（キーボード、マウスデバイス、特殊な選択キー等）、および１つ以上の出力デバイス２２０（ディスプレイ、プリンタ、音声出力機構等）も含み得る。ユーザデバイス１０２はさらに、ネットワークインターフェースデバイス、ビデオディスプレイ（例えば、液晶ディスプレイ（ＬＣＤ）または陰極線管（ＣＲＴ））を含み得る。
【００１８】
ユーザデバイス１０２はさらに、ユーザデバイス１０２が、（例えば、無線通信システムによって提供されるような）無線ネットワークを介して、リモートコンピュータ、アイテム提供システム１１４等の他のコンピューティングデバイスと通信することを可能にするために、無線モデム２４０を含む。無線モデム２４０は、ユーザデバイス１０２が、無線通信システム１１０との音声通信および非音声通信（テキストメッセージ、マルチメディアメッセージ、メディアダウンロード、ウェブ閲覧等のための通信等）の双方を取り扱うことを可能にする。無線モデム２４０は、例えば、セルラーデジタルパケットデータ（ＣＤＰＤ）、汎用パケット無線サービス（ＧＰＲＳ）、ＧＳＭ（登録商標）進化型高速データレート（ＥＤＧＥ）、汎用モバイル通信システム（ＵＭＴＳ）、１回無線送信技術（１ｘＲＴＴ）、エボリュションデータオプティマイズド（ＥＶＤＯ）、高速ダウンリンクパケットアクセス（ＨＳＤＰＡ）、ＷｉＦｉ、ＬＴＥ、ＣＤＭＡ、ＷｉＭａｘ等を含む、任意のタイプのネットワーク技術を使用して、ネットワーク接続性を提供し得る。
【００１９】
無線モデム２４０は、信号を生成し、増幅のための電力増幅器（ａｍｐ）２４２にそういった信号を送り得、その後に、該信号は、アンテナ２４４を介して無線で送信される。アンテナ２４４は、異なる周波数帯で、および／または異なる無線通信プロトコルを使用して送信するように構成され得る。アンテナ２４４は、指向性、全方向性、または無方向性のアンテナであり得る。データを送ることに加えて、アンテナ２４４はまた、データの受信も行い、該データは、無線モデム２４０に送られ、そして、処理ユニット２３０へ転送される。
【００２０】
単一のモデム２４０がアンテナ２４４による送信を制御するように示されているが、ユーザデバイス１０２は、代替として、複数の無線モデムを含み得、該無線モデムのそれぞれは、異なるアンテナおよび／または無線送信プロトコルを介してデータを送信するように構成される。一実施形態において、各モデムは、送受信機、または送信機および受信機を含む。処理ユニット２３０は、モデム２４０を制御する。
【００２１】
上で列挙したモジュールのリストは、代表的なものであり、ユーザデバイス１０２によって行われる機能のタイプを網羅するものではない。「他のデバイス機能」２２８という表記によって示されるように、ユーザデバイス１０２は、さらなる機能を含み得る。
【００２２】
図３は、ＤＲＸモードレート低減システム２２４の一実施形態のブロック図である。ＤＲＸモードレート低減システム２２４は、ハードウェア（回路、専用論理等）、ソフトウェア（汎用コンピューティングシステムまたは専用マシン上で動作するもの等）、ファームウェア（組み込みソフト）、またはそれらの任意の組み合わせとして実装され得る。示される実施形態において、ＤＲＸモードレート低減システム２２４は、セル検出構成要素３０２と、セル測定構成要素３０４と、信号条件追跡構成要素３０６と、レート調整構成要素３０８とを含む。ＤＲＸモードレート低減システム２００の構成要素は、いくつかの実施形態によれば、互いに組み合わせることができる、またはさらなるモジュールに分けることができる、モジュールを表し得る。
【００２３】
セル検出構成要素３０２は、隣接セルを検出するように構成される。セル検出構成要素３０２は、検出された隣接セルに関する情報をセルデータストア２２２に記憶することができる。セル測定構成要素３０４は、検出されたセルの１つ以上の測定を行うように構成される。セル測定構成要素３０４は、これらの測定の結果をセルデータストア２２２に記憶することができる。一実施形態において、セル測定構成要素３０４は、セルデータストア２２２に列記された隣接セルのそれぞれについて周波数間測定を行う。別の実施形態において、セル測定構成要素３０４は、セルデータストア２２２に列記された隣接セルのそれぞれについて周波数内測定を行う。別の実施形態において、セル測定構成要素３０４は、１つ以上の隣接セルのｒａｔ間測定または検出を行う。セル測定構成要素３０４は、規定のレートに従って、これらの測定のそれぞれを行う。本明細書で定義されるように、一部の場合において、規定のレートは、初期レートである。他の場合において、規定のレートは、調整されたレートである。
【００２４】
信号条件追跡構成要素３０６は、サービングセルから受信した信号の信号条件を追跡するように構成される。信号条件追跡構成要素３０６は、本明細書で説明されるような種々の技術に従って、信号条件を測定する。一実施形態において、信号条件追跡構成要素３０６は、セル品質値またはセル受信（ＲＸ）レベル値を測定し、この値を信号条件として使用する。別の実施形態において、信号条件追跡構成要素３０６は、これらの値の１つを測定し、この値から、最低限必要とされる品質レベルおよび電力補償値を減算する。信号条件は、減算後のセル品質値またはセルＲＸレベル値に等しい。電力補償値は、最大送信電力から最大ＲＦ出力電力を減算することによって決定され得、結果として生じた値およびゼロのうちの大きい方が、電力補償値に使用される。信号条件追跡構成要素３０６は、結果をセルデータストア２２２または別個のデータストアに記憶し得る。あるいは、信号条件追跡構成要素３０６は、信号条件を記憶しない可能性があるが、必要なときには計算を行う。
【００２５】
レート調整構成要素３０８は、信号条件に基づいて、セル測定構成要素３０４によって行われる１組の測定の規定のレート（複数可）を調整するように構成される。一実施形態において、レート調整構成要素３０８は、周波数内測定、周波数間測定、およびｒａｔ間測定または検出に対する規定のレートのそれぞれを調整する。別の実施形態において、レート調整構成要素３０８は、セル検出構成要素３０２によって行われる検出の規定のレートを調整する。別の実施形態において、レート調整構成要素３０８は、セル検出構成要素３０２およびセル測定構成要素３０４の双方の規定のレートを調整する。
【００２６】
一実施形態において、レート調整構成要素３０８は、信号条件の信号条件追跡構成要素から指示を受信し、レート調整構成要素３０８は、この信号条件と１つ以上の信号条件閾値とを比較して、調整されたレートを決定する。調整されたレートを決定した後に、レート調整構成要素３０８は、調整されたレートの指示を、セル測定構成要素３０４および／またはセル検出構成要素３０２に送る。別の実施形態において、レート調整構成要素３０８は、セル検出構成要素３０２および／またはセル測定構成要素３０４によってアクセスされる、メモリ（例えば、不揮発性メモリ）の中の記憶場所に上書きするか、またはそれを更新する。
【００２７】
一実施形態において、レート調整構成要素３０８は、信号条件が第１の信号条件閾値未満であったときに、規定のレートの１つを第１のレートに調整し、また、信号条件が第１の信号条件閾値以上であったときに、規定のレートを第２のレートに調整する。この実施形態において、第２のレートは、第１のレート未満である。この実施形態では、「良好な」信号条件を表すために、信号条件閾値が使用される。信号が「良好な」信号条件を有するときに、レート調整構成要素３０８は、ＤＲＸモード中に行われる測定のレートを低減させことができる。
【００２８】
さらなる実施形態では、信号条件が第２の信号条件以上であったときに、レート調整構成要素３０８は、規定のレートを第３のレートに調整する。この実施形態において、第３のレートは、第１のレート未満であるが、第２のレートは、第１のレートと第３のレートとの間、または第３のレートよりも大きくなり得る。別の実施形態において、レート調整構成要素３０８は、信号条件が第１の信号条件閾値に向かって減少するにつれて、規定のレートを漸増的に調整し、また、信号条件が第１の信号条件から離れて増加するにつれて、規定のレートを段階的に低減させる。あるいは、本開示の利益を有する当業者によって認識されるように、信号条件に基づいて規定のレートを減少および増加させる、他の技術が使用され得る。
【００２９】
一実施形態において、セル検出構成要素３０２は、規定のレート（例えば、初期レートまたは調整されたレート）で検出サイクルを行うために、ユーザデバイスのモデムを制御することができる。別の実施形態において、レート調整構成要素３０８は、１組の測定を行うための規定のレートを指示するために、指示をモデムに直接送る。同様に、セル測定構成要素３０２は、１組の測定を行うための規定のレートを指示するために、モデムを制御することができ、またはレート調整構成要素３０８が指示をモデムに直接送ることができる。
【００３０】
図４〜図５は、本発明の種々の実施形態に従って行われる方法を図示する。本方法は、ハードウェア（回路、専用論理等）、ソフトウェア（汎用コンピュータシステムまたは専用マシン上で動作するもの等）、またはこれらの組み合わせを備え得る、処理論理によって行われる。
【００３１】
図４は、サービングセルから受信した信号の信号条件に基づいて、１組の１つ以上の測定を行うための規定のレートを調整する方法４００の一実施形態のフロー図である。一実施形態では、ユーザデバイス（例えば、図１のユーザデバイス１０２）が、方法４００を行う。別の実施形態では、図２および図３のＤＲＸモードレート低減システム２２４が、方法４００を行う。あるいは、ユーザデバイス１０２の他の構成要素が、方法４００の動作の一部または全部を行うことができる。
【００３２】
図４を参照すると、方法４００は、サービングセルから受信した信号の信号条件を判定する処理論理から始まる（ブロック４０２）。処理論理は、信号条件が良好である（例えば、信号条件が、信号条件閾値以上である）かどうかを判定する（ブロック４０４）。信号条件が良好であった場合、処理論理は、規定のレートを調整し（ブロック４０６）、ユーザデバイスがＤＲＸモードであるときに、その調整されたレートで１組の測定を行うために戻る（ブロック４０８）。そうでない場合、すなわち、ブロック４０４で信号条件が良好でなかった場合、処理論理は、規定のレートを維持し、そして、ユーザデバイスがＤＲＸモードであるときに、規定のレートで１組の１つ以上の測定を行う（ブロック４０８）。
【００３３】
本方法の別の実施形態において、処理論理は、ブロック４０８で、１組の測定について、１つ以上の隣接セルを検出するための検出サイクル、または１つ以上の検出された隣接セルのバラメータを測定するための測定サイクルのうちの少なくとも１つを行う。一実施形態において、ブロック４０８で、測定サイクルについて、処理論理は、第１の規定のレートで、検出された隣接セルのそれぞれについて周波数内測定を行い、第２の規定のレートで、検出された隣接セルのそれぞれについて周波数間測定を行い、そして、第３の規定のレートで、１つ以上の隣接セルのｒａｔ間測定または検出を行う。処理論理は、ブロック４０６で、第１、第２、および第３の規定のレートを調整する。一実施形態において、第１、第２、および第３のレートは、同じレートである。別の実施形態において、第１、第２、および第３のレートは、異なるレートである。
【００３４】
別の実施形態において、処理論理は、ブロック４０２で、信号条件のセル品質値を測定する。別の実施形態において、処理論理は、ブロック４０２で、受信した信号のセル品質値を測定し、セル品質値から、最低限必要とされる品質レベルおよび電力補償値を減算する。この実施形態において、信号条件は、減算後のセル品質値に等しい。一実施形態において、処理論理は、ランダムアクセスチャネル（ＲＡＣＨ）上のサービングセルにアクセスするときにユーザデバイスが使用できる、最大送信電力レベル（ＵＥ＿ＴＸＰＷＲ＿ＭＡＸ＿ＲＡＣＨ  ｄＢｍ）を決定し、また、ユーザデバイスの最大無線周波数（ＲＦ）出力電力（Ｐ＿ＭＡＸ  ｄＢｍ）を決定することによって、電力補償値を決定することができる。処理論理は、計算値を生成するために、最大送信電力から最大ＲＦ出力電力を減算する。処理論理は、次いで、計算値がゼロよりも大きいかどうかを判定する。大きかった場合、処理論理は、その計算値を補償値として使用し、大きくなかった場合、処理論理は、ゼロを補償値として使用する。１つの例示的な実施形態では、この計算に対して、最大動作を使用することができる（例えば、最大、（ＵＥ＿ＴＸＰＷＲ＿ＭＡＸ＿ＲＡＣＨ−Ｐ＿ＭＡＸ，０）（ｄＢ））。最大伝送電力レベル（ＵＥ＿ＴＸＰＷＲ＿ＭＡＸ＿ＲＡＣＨ）は、メモリに記憶されたシステム情報から読み出され得る（ｄＢｍ）。あるいは、補償係数、ならびにセル品質値を計算するために、他の技術が使用され得る。
【００３５】
別の実施形態において、処理論理は、ブロック４０２で、信号条件のセル受信（ＲＸ）レベル値を測定する。別の実施形態において、処理論理は、セルＲＸレベル値から、サービングセルにおける最低限必要とされる品質レベル、および電力補償値を減算し、信号条件は、減算後のセルＲＸレベル値に等しい。最低限必要とされる品質レベルは、所与のセルの中の基地局によってブロードキャストされ、セルにキャンプオンする前にユーザデバイスによって読み出される。
【００３６】
別の実施形態において、処理論理は、ブロック４０６で、信号条件が第１の信号条件閾値未満であったときに、規定のレートを第１のレートに調整することによって規定のレートを調整し、また、信号条件が第１の信号条件閾値よりも大きかったときに、規定のレートを第２のレートに調整する。この実施形態において、第２のレートは、第１のレート未満である。別の実施形態において、処理論理はさらに、ブロック４０６で、信号条件が第２の信号条件閾値よりも大きかったときに、規定のレートを第３のレートに調整し、この第３のレートは、第１のレート未満である。一実施形態において、第３のレートは、第２のレート未満である。別の実施形態において、第３のレートは、第２のレートより大きいが、第１のレート未満である。
【００３７】
別の実施形態において、処理論理は、ブロック４０６で、信号条件が第１の信号条件閾値に向かって減少するにつれて、規定のレートを漸増的に増加させることによって、規定のレートを調整し、また、信号条件が第１の信号条件閾値から離れて増加するにつれて、規定のレートを段階的に低減させる。あるいは、処理論理は、信号条件が変動したときに、規定のレートを段階的に増加および減少させることができる。これは、信号条件をサンプリングすることによって、周期的に行われ得る。これはまた、連続的にも行われ得る。
【００３８】
図６および図７で示されるように、規定のレートは、ユーザデバイスがＤＲＸモードであるときにあらゆるページングサイクルであり得、調整されたレートは、あらゆるページングサイクル未満であり得る。別の実施形態において、規定のレートは、３ＧＰＰ規格等の標準規格によって定義される。調整されたレートは、規定のレート未満である、可変レートである。可変レートは、信号条件に基づいて設定される。可変レートは、１つ以上の閾値を使用し個別のレベルで設定され得るか、または信号条件との線形関係に基づく任意のレートであり得る。あるいは、可変レートは、信号条件との非線形関係を有し得る。
【００３９】
図５は、サービングセルから受信した信号の信号条件に基づいて、１組の１つ以上の測定を行うための規定のレートを調整する方法の別の実施形態のフロー図である。一実施形態では、ユーザデバイス（例えば、図１のユーザデバイス１０２）が、方法５００を行う。別の実施形態では、図２および図３のＤＲＸモードレート低減システム２２４が、方法５００を行う。あるいは、ユーザデバイス１０２の他の構成要素が、方法５００の動作の一部もしくは全部を行うことができる。
【００４０】
図５を参照すると、方法５００は、非ＤＲＸ動作モードで動作する処理論理から始まり（ブロック５０２）、ユーザデバイスがＤＲＸモードであるかどうかを判定する（ブロック５０４）。ユーザデバイスがＤＲＸモードでなかった場合、処理論理は、ブロック５０２で、非ＤＲＸモードを継続する。しかしながら、ブロック５０４でユーザデバイスがＤＲＸモードであった場合、処理論理は、サービングセルから受信した信号（Ｓｘ）の信号条件を追跡する（ブロック５０６）。処理論理は、信号条件（Ｓｘ）と第１の信号条件閾値とを比較する（ブロック５０８）。信号条件（Ｓｘ）が第１の信号条件閾値未満であった場合、処理論理は、１つ以上の規定のレートで検出サイクルおよび／または測定サイクルを行う（ブロック５１０）。最初に、規定のレートは、標準規格で規定される初期レート（複数可）とすることができる。検出サイクル（複数可）は、１つ以上の隣接セルを検出するために使用することができる。隣接セルの検出および既に検出したセルの測定は、同じサイクル中に行うことができる。また、検出中に、隣接セルが検出された場合、そのセルについても測定が知られている。測定サイクル（複数可）は、１つ以上の検出された隣接セルのパラメータを測定するために使用することができる。しかしながら、ブロック５０８で信号条件（Ｓｘ）が第１の信号条件閾値以上であった場合、処理論理は、ユーザデバイスが検出サイクルおよび／または測定サイクルを行う初期レートを低減させる。一実施形態において、処理論理は、初期レートを初期レート未満である異なるレートに低減させる。あるいは、処理論理は、１つ以上のさらなる信号条件閾値に基づいて、初期レートを複数のレート、例えば図５で表される第１および第２のレート、のうちの１つに低減させる。
【００４１】
示される実施形態において、処理論理は、信号条件（Ｓｘ）と第２の信号条件閾値とを比較する（ブロック５１２）。ブロック５０８で、信号条件（Ｓｘ）が第２の信号条件閾値未満（しかし、第１の信号条件閾値以上）であった場合、処理論理は、検出サイクル（複数可）および／または測定サイクル（複数可）について、初期レートを第１のレートに低減させ（ブロック５１４）、そして、ブロック５１０に戻って、規定のレートで検出サイクルおよび／または測定サイクルを行う。この場合、規定のレートは、第１のレートである。しかしながら、ブロック５１２で、信号条件（Ｓｘ）が第２の信号条件閾値以上であった場合、処理論理は、検出サイクル（複数可）および／または測定サイクル（複数可）について、初期レートを第２のレートに低減させ（ブロック５１６）、ブロック５１０に戻って、規定のレートで検出サイクルおよび／または測定サイクルを行う。この場合、規定のレートは、第２のレートである。
【００４２】
別の実施形態において、処理論理は、サービングセルの信号条件に基づいて、周波数内、周波数間、およびｒａｔ間隣接セル測定のレートを適合させるために、下で説明されるアルゴリズムを実装する。信号条件閾値によって設定されるように、サービングセルの信号条件が「良好である」ときに、処理論理は、レートを遅く保ち、信号条件が悪化し始めるにつれて、処理論理は、標準規格で定義されているように、最終的に初期レートに一致するまで測定のレートを徐々に増加させる。１つ以上の信号条件閾値が使用され得、その信号条件閾値は、ハードコードすることができ、またはプログラム可能とすることができる。例えば、不揮発性メモリは、信号条件閾値を記憶し得る。以下のアルゴリズムは、初期レートおよび規定の数の閾値レベル（閾値バケットとも称される）について以下の表記法を使用する。
Ｒintraは、周波数内測定を行うレートである。
Ｒinterは、周波数間測定を行うレートである。
Ｒinterratは、ｒａｔ間測定を行うレートである。
Ｎintrasearchは、０からＳintrasearchの閾値レベルの数である。
Ｎintersearchは、０からＳintersearchの閾値レベルの数である。
Ｎinterratsearchは、０からＳsearchratの閾値レベルの数である。
Ｓｉｎｔｒａｓｅａｒｃｈは、周波数内測定の、およびＨＣＳ測定規則の閾値（ｄＢ）を指定する。
Ｓｉｎｔｅｒｓｅａｒｃｈは、周波数間測定の、およびＨＣＳ測定規則の閾値（ｄＢ）を指定する。
ＳｓｅａｒｃｈＲＡＴｍは、ＲＡＴ間測定規則で使用されるサービングセルにおけるＲＡＴ固有の閾値を指定する。
Ｑｑｕａｌｍｅａｓは、測定したセル品質値である。これは、ＦＤＤセルに関する、ＣＰＩＣＨ  Ｅｃ／Ｎ０（ｄＢ）で表される受信した信号の質である。
Ｑｒｘｌｅｖｍｅａｓは、測定したセルＲＸレベル値である。これは、ＦＤＤセルに関する、受信した信号、ＣＰＩＣＨ  ＲＳＣＰ（ｄＢｍ）である。
Ｑｑｕａｌｍｉｎは、セルの最低限必要とされる品質レベル（ｄＢ）である。ＦＤＤセルにだけ、適用可能である。
Ｑｒｘｌｅｖｍｉｎは、セルの最低限必要とされるＲＸレベル（ｄＢｍ）である。
Ｓｑｕａｌは、セル選択品質値（ｄＢ）である。ＦＤＤセルにだけ適用可能である。
Ｓｒｘｌｅｖは、セル選択ＲＸレベル値（ｄＢ）である。
Ｓｑｕａｌは、測定したセル品質値と最低限必要とされる品質レベルの差（Ｑｑｕａｌｍｅａｓ−Ｑｑｕａｌｍｉｎ）である。
Ｓｒｘｌｅｖは、測定したセルＲＸレベル値と、最低限必要とされるＲＸレベルと、電力補償値との間の差（Ｑｒｘｌｅｖｍｅａｓ−Ｑｒｘｌｅｖｍｉｎ−Ｐｃｏｍｐｅｎｓａｔｉｏｎ）である。
Ｓｘは、ＦＤＤセルのＳｑｕａｌ、およびＴＤＤセルのＳｒｘｌｅｖと定義される。
Ｐｃｏｍｐｅｎｓａｔｉｏｎは、電力補償値である。電力補償値は、最大（ＵＥ＿ＴＸＰＷＲ＿ＭＡＸ＿ＲＡＣＨ−Ｐ＿ＭＡＸ，０）（ｄＢ）を使用して計算され得る。
ＵＥ＿ＴＸＰＷＲ＿ＭＡＸ＿ＲＡＣＨは、ＵＥがＲＡＣＨ上のセルにアクセスするときに使用し得る、最大ＴＸ電力レベル（システム情報から読み出される）（ｄＢｍ）である。
Ｐ＿ＭＡＸは、ＵＥの最大ＲＦ出力電力（ｄＢｍ）である。
ＦＯＲ（ｉ＝１，ｉ＜＝Ｎintrasearch，ｉ＋＋）
ＩＦ（Ｓx＞Ｓintrasearch＊（ｉ−１）／Ｎintrasearch）ＡＮＤ（Ｓx＜＝Ｓintrasearch＊ｉ／Ｎintrasearch）
ＴＨＥＮ
１／（Ｒintra＊ｉ）のレートで周波数内測定を行う
ＥＮＤＩＦ
ＥＮＤＦＯＲ
ＦＯＲ（ｉ＝１，ｉ＜＝Ｎintrersearch，ｉ＋＋）
ＩＦ（Ｓｘ＞Ｓintersearch＊（ｉ−１）／Ｎintersearch）ＡＮＤ（Ｓx＜＝Ｓintersearch＊ｉ／Ｎintersearch）
ＴＨＥＮ
１／（Ｒinter＊ｉ）のレートで周波数間測定を行う
ＥＮＤＩＦ
ＥＮＤＦＯＲ
ＦＯＲ（ｉ−１，ｉ＜＝Ｎinterratsearch，ｉ＋＋）
ＩＦ（Ｓｘ＞Ｓsearchratm＊（ｉ−１）／Ｎinterratsearch）ＡＮＤ（Ｓx＜＝Ｓsearchratm＊ｉ／Ｎinterratsearch）
ＴＨＥＮ
１／（Ｒinterrat＊ｉ）のレートでｒａｔ間測定を行う
ＥＮＤＩＦ
ＥＮＤＦＯＲ
一実施形態において、Ｒintra、Ｒinter、およびＲinterratは、同じ初期レートである。別の実施形態において、Ｒintra、Ｒinter、およびＲinterratは、異なる初期レートである。また、本開示の利益を有する当業者によって認識されるように、アルゴリズムは、これらのレートのうちの任意の１つ以上についてレートを低減させるために、これらの計算のうちの任意の１つを行うことができることにも留意されたい。また、図４および図５に関して上で説明したＤＲＸモードレート低減アルゴリズムをトリガーする、他の条件があり得ることにも留意されたい。一実施形態では、ＤＲＸモードレート低減アルゴリズムを使用すべきかどうかを決定するために、デバイス上で複数の信号バーを使用することができる。例えば、信号条件が３つのバーよりも良好であった場合、ＤＲＸモードレート低減アルゴリズムの使用することができる。別の実施形態では、ユーザデバイスが固定式であるときに、ユーザデバイスは、検出するために１つ以上のセンサを有し得る。固定式であるときには、ＤＲＸモードレート低減アルゴリズムが使用され得る。別の実施形態において、デバイスが既にＷｉＦｉ（ＷＣＤＭＡ（登録商標）とともに）のような別のサービスを有する場合、ユーザデバイスは、ＤＲＸモードレート低減アルゴリズムを使用することができる。あるいは、本開示の利益を有する当業者によって認識されるように、他の条件が使用され得る。
【００４３】
本明細書で説明されるように、これらのレート、ならびに検出サイクルのレートを低減させることによって、ユーザデバイスの受信機が作動する時間量を低減させ、これは、ユーザデバイスによる電流ドレインを低減させる。例えば、ＤＲＸモードである間に、周波数内および周波数間の測定および検出を半分低減させることによって、約２５〜３０％の電流の節約をもたらし得る。別の例として、ＤＲＸモードである間に、周波数内および周波数間の測定および検出を１／４低減させることによって、約５０〜５５％の電流の節約をもたらし得る。あるいは、他の因子に基づいて、他の電流の節約が達成され得る。これは、本開示の利益を有する当業者によって認識されるように、バッテリの寿命を大幅に向上させるのを補助し得る。
【００４４】
図６および図７は、一実施形態によるＤＲＸモードレート低減を伴う、および伴わない、ＤＲＸモードのユーザデバイスによって行われる、ページングサイクル、検出、および測定を図示する。図６において、ＤＲＸモードレート低減を伴わないユーザデバイスは、スリープモードから周期的に起動し、各ページングサイクルでページ復号化動作６０２を行う（６０２ａ〜６０２ｆ）。最初に、ユーザデバイスは、１つ以上の隣接セルを検出するために、周波数内および周波数間隣接検出サイクル６０４を行い、そして、以降の各サイクル毎に、ユーザデバイスは、隣接セルのそれぞれについて周波数内および周波数間隣接測定６０６を行う（６０６ａ〜６０６ｄ）。本明細書で説明されるように、検出される隣接セルが多くなるほど、ユーザデバイスの受信機が作動する時間量が長くなる。加えて、図６で図示されるように、ユーザデバイスは、周波数検出６０４および周波数測定６０６に加えて、ＧＳＭ（登録商標）隣接検出または測定６０８を行うことができる。この実施形態において、規定のレートは、あらゆるページングサイクルである。
【００４５】
図７において、ＤＲＸモードレート低減を伴うユーザデバイスは、スリープモードから周期的に起動し、各ページングサイクルでページ復号化動作７０２を行う（７０２ａ〜７０２ｆ）。最初に、ユーザデバイスは、１つ以上の隣接セルを検出するために、周波数内および周波数間隣接検出サイクル６０４を行う。しかしながら、図６と異なり、ユーザデバイスは、低減した速度で周波数内および周波数間隣接測定サイクル７０６を行う（７０６ａおよび７０６ｂ）。この具体的事例において、ユーザデバイスは、１つおきのサイクルに（サイクルの半分）、周波数内および周波数間隣接測定サイクル７０６を行う。ユーザデバイスは、図６のユーザデバイスと異なり、第２のページングサイクル７０２ｂおよび第４のページングサイクル７０２ｄで、周波数内および周波数間隣接測定サイクル７０６を行わない。あるいは、周波数内および周波数間隣接測定サイクル７０６に、他のレートが使用され得る。これは、ユーザデバイスの受信機が作動する時間量を低減させ、したがって、ユーザデバイスによる電流ドレインを低減させる。加えて、図７で図示されるように、ユーザデバイスは、周波数検出７０４および周波数測定７０６に加えて、ＧＳＭ（登録商標）隣接検出または測定７０８を行うことができる。本開示の利益を有する当業者によって認識されるように、本明細書で説明される実施形態を使用して、ユーザデバイスは、周波数内および周波数間隣接検出サイクル７０４、およびＧＳＭ（登録商標）隣接検出または測定サイクル７０８を行うレートを調整し得る。
【００４６】
上の説明では、多くの詳細が記載されている。しかしながら、本開示の利益を有する当業者には、これらの特定の詳細を伴わずに本発明の実施形態が実践され得ることが明らかであろう。いくつかの事例では、説明を曖昧にすることを回避するために、よく知られている構造およびデバイスは、詳細に示すのではなく、ブロック図の形態で示される。
【００４７】
詳細な説明のいくつかの部分は、コンピュータメモリ内のデータビットに関する動作のアルゴリズムおよび記号的表現によって示される。これらのアルゴリズム的な記述および表現は、データ処理技術の当業者が自分の作業の内容を他の当業者に最も効果的に伝えるために使用する手段である。アルゴリズムは、ここでは、また一般に、所望の結果をもたらすステップの首尾一貫したシーケンスであると考えられる。ステップは、物理量の物理的な操作を必要とするものである。通常、必ずではないが、これらの量は、記憶する、転送する、結合する、比較する、および別様に操作することができる、電気信号または磁気信号の形式を取る。これらの信号をビット、値、要素、記号、文字、用語、数字等と称することは、主として一般的な用法の理由から、時には便利であることが分かっている。
【００４８】
しかしながら、これらのおよび類似した用語の全ては、適切な物理量と関連付けられることになっており、これらの量に付される好都合なラベルに過ぎないということを念頭に置くべきである。上の考察から明らかであるとして別途具体的に提示されない限り、説明の全体を通して、「検出する（ｄｅｔｅｃｔｉｎｇ）」、「判定する（ｄｅｔｅｒｍｉｎｉｎｇ）」、「促す（ｐｒｏｍｐｔｉｎｇ）」、「生成する（ｇｅｎｅｒａｔｉｎｇ）」、「通信する（ｃｏｍｍｕｎｉｃａｔｉｎｇ）」、「受信する（ｒｅｃｅｉｖｉｎｇ）」、「無効にする（ｄｉｓａｂｌｉｎｇ）」等の用語を利用した考察は、コンピュータシステムのレジスタおよびメモリ内の物理（電子）量として表されるデータを操作し、コンピュータシステムのメモリもしくはレジスタ、または他のそのような情報記憶、伝送、もしくは表示デバイス内の物理量として同様に表される他のデータに変換する、コンピュータシステムまたは類似した電子コンピューティングデバイスの動作および処理を指す。
【００４９】
本発明の実施形態はまた、本明細書における動作を行うための装置にも関する。この装置は、必要な目的のために特別に構築され得るか、または、コンピュータに記憶されたコンピュータプログラムによって選択的に起動される、もしくは再構成される汎用コンピュータを備え得る。そのようなコンピュータプログラムは、フロッピー（登録商標）ディスク、光ディスク、ＣＤ−ＲＯＭ、および光磁気ディスクを含む任意のタイプのディスク、リードオンリーメモリ（ＲＯＭ）、ランダムアクセスメモリ（ＲＡＭ）、ＥＰＲＯＭ、ＥＥＰＲＯＭ、磁気もしくは光カード、または電子命令を記憶するのに好適な任意のタイプの媒体等が挙げられるが、これらに限定されない、コンピュータが読み出し可能な記憶媒体に記憶され得る。
【００５０】
本明細書で提示されるアルゴリズムおよび表示は、本質的に、任意の特定のコンピュータまたは他の装置に関連がない。種々の汎用システムは、本明細書における教示に従うプログラムとともに使用され得、または必要とされる方法ステップを行うためにより特殊化された装置を構築するのは好都合であることを証明し得る。種々のこれらのシステムに必要とされる構造は、下の説明から明らかになるであろう。さらに、本発明は、任意の特定のプログラミング言語に関して説明されない。本明細書で説明されるような本発明の教示を実装するために、様々なプログラム言語が使用され得ることを認識されたい。また、本明細書で使用される際、「〜するとき」という用語、または「〜に応じて」という句は、特定された動作が行われる前に、介在時間、介在イベント、またはこれらの双方があり得ることを示していることを理解すべきであることにも留意されたい。
【００５１】
前述の説明は、例示的なものを意図するのであって、限定的なものを意図しないことを理解されたい。当業者には、上の説明を読み、理解すれば、他に多くの実施形態が明らかになるであろう。したがって、本発明の範囲は、添付の特許請求の範囲、およびそのような特許請求の範囲が権利を与えられる均等物の全範囲を参照して決定されるべきである。
【００５２】
付記
１．以下を行うようにプログラムされたユーザデバイスによって実装される方法であって、
前記ユーザデバイスが非連続性受信（ＤＲＸ）モードであるときに、前記ユーザデバイスによって、規定のレートで１組の１つ以上の測定を行う段階と、
サービングセルから受信した信号の信号条件を判定する段階と、
前記信号条件に基づいて、前記規定のレートを調整する段階と、
を含む、方法。
２．前記規定のレートで１組の１つ以上の測定を行う段階は、１つ以上の隣接セルを検出するための検出サイクル、または１つ以上の検出された隣接セルのパラメータを測定するための測定サイクルのうちの少なくとも１つを行う段階を含む、付記１に記載の方法。
３．前記測定サイクルを行う段階は、
第１の規定のレートでの前記検出された隣接セルのそれぞれに対する周波数内測定、
第２の規定のレートでの前記検出された隣接セルのそれぞれに対する周波数間測定、または
第３の規定のレートでの１つ以上の隣接セルの無線アクセス技術（ｒａｔ）間測定もしくは検出、のうちの少なくとも１つを行う段階を含み、
前記規定のレートを調整する段階は、前記第１、第２、および第３の規定のレートのうちの１つ以上を調整する段階を含む、付記２に記載の方法。
４．前記信号条件を判定する段階は、前記受信した信号のセル品質値を測定する段階を含み、前記信号条件は前記セル品質値に等しい、付記１に記載の方法。
５．前記信号条件を前記判定する段階は、前記受信した信号のセル品質値を測定する段階を含み、前記信号条件は、前記セル品質値と、最低限必要とされる品質レベルおよび電力補償値の合計との差に実質的に等しい、付記１に記載の方法。
６．前記信号条件に基づいて、前記規定のレートを調整する段階は、
前記信号条件が第１の信号条件閾値未満であったときに、前記規定のレートを第１のレートに調整する段階と、
前記信号条件が前記第１の信号条件閾値以上であったときに、前記規定のレートを第２のレートに調整する段階と、を含み、
前記第２のレートは前記第１のレート未満である、付記１に記載の方法。
７．前記信号条件に基づいて、前記規定のレートを調整する段階は、
前記信号条件が第１の信号条件閾値に向かって減少するにつれて、前記規定のレートを段々に増加させる段階と、
前記信号条件が前記第１の信号条件閾値から離れて増加するにつれて、前記規定のレートを段々に低減させる段階と、を含む、付記１に記載の方法。
８．前記規定のレートは、標準規格によって定義され、前記調整されたレートは、前記規定のレート未満である、可変レートである、付記１に記載の方法。
９．ユーザデバイスであって、
メモリと、
前記メモリに連結された処理デバイスと、を備え、前記処理デバイスは、
サービングセルから受信した信号の信号条件が、信号条件閾値よりも大きいかどうかを判定し、
前記ユーザデバイスが不連続受信（ＤＲＸ）モードであり、前記信号条件が前記信号条件閾値よりも大きかったときに、１組の１つ以上の測定を行う規定のレートを低減させる、
ユーザデバイス。
１０．前記規定のレートにおける前記低減は、前記ユーザデバイスが前記ＤＲＸモードであるときに、前記ユーザデバイスによる電流ドレインを低減させる、付記９に記載のユーザデバイス。
１１．前記処理デバイスは、前記信号条件が前記信号条件閾値以下であったときに、前記規定のレートを維持し、前記信号条件に基づいて、前記信号条件がより大きかったときに、前記規定のレートを第２のレートに低減させる、付記９に記載のユーザデバイス。
１２．前記処理デバイスに連結される通信回路をさらに備え、前記通信回路は、送受信機、または送信機および受信機の少なくとも１つを備える、付記９に記載のユーザデバイス。
１３．前記処理デバイスは、前記受信した信号のセル品質値を測定して、前記信号条件を判定するために、測定モジュールを実行し、前記信号条件は、前記セル品質値に等しい、付記９に記載のユーザデバイス。
１４．前記処理デバイスはさらに、前記信号条件を判定するために、前記セル品質値から、最低限必要とされる品質レベルおよび電力消費値を減算する、付記１３に記載のユーザデバイス。
１５．前記処理デバイスは、前記サービングセルにアクセスしたときに前記ユーザデバイスが使用できる最大送信電力レベル、および前記ユーザデバイスの最大無線周波数（ＲＦ）出力電力を決定し、前記処理デバイスはさらに、計算値を生成するために、前記最大送信電力レベルから前記最大ＲＦ出力を減算し、前記電力補償値は、前記計算値およびゼロのうちの大きい方である、付記１４に記載のユーザデバイス。
１６．測定サイクルは、
検出された隣接セルのそれぞれに対する周波数内測定、
検出された隣接セルのそれぞれに対する周波数間測定、および
隣接セルの１つ以上に対する無線アクセス技術（ｒａｔ）間測定または検出、のうちの少なくとも１つを含む、付記１４に記載の方法。
１７．ユーザデバイスであって、
メモリと、
メモリに連結された処理デバイスと、を備え、処理デバイスは、
サービングセルから受信した信号の信号条件が、信号条件閾値よりも大きいかどうかを判定し、
ユーザデバイスが不連続受信（ＤＲＸ）モードであり、信号条件が信号条件閾値よりも大きかったときに、１組の１つ以上の測定を行う規定のレートを低減させる、
ユーザデバイス。
１８．規定のレートにおける低減は、ユーザデバイスがＤＲＸモードであるときに、ユーザデバイスによる電流ドレインを低減させる、付記１７に記載のユーザデバイス。
１９．処理デバイスは、信号条件が信号条件閾値以下であったときに、規定のレートを維持し、信号条件に基づいて、信号条件がより大きかったときに、規定のレートを第２のレートに低減させる、付記１７に記載のユーザデバイス。
２０．処理デバイスに連結される、通信回路をさらに備え、通信回路は、送受信機、または送信機および受信機の少なくとも１つを備える、付記１７に記載のユーザデバイス。
２１．処理デバイスは、受信した信号のセル品質値を測定して、信号条件を判定するために、測定モジュールを実行し、信号条件は、セル品質値に等しい、付記１７に記載のユーザデバイス。
２２．処理デバイスはさらに、信号条件を判定するために、セル品質値から、最低限必要とされる品質レベルおよび電力消費値を減算する、付記２１に記載のユーザデバイス。
２３．処理デバイスは、サービングセルにアクセスしたときにユーザデバイスが使用できる最大送信電力レベル、およびユーザデバイスの最大無線周波数（ＲＦ）出力電力を決定し、処理デバイスはさらに、計算値を生成するために、最大送信電力レベルから最大ＲＦ出力を減算し、電力補償値は、計算値およびゼロのうちの大きい方である、付記２２に記載のユーザデバイス。
２４．規定のレートは、第３世代パートナーシッププロジェクト（３ＧＰＰ）規格で定義されている、付記１７に記載のユーザデバイス。
２５．コンピュータが読み出し可能な記憶媒体であって、処理デバイスによって実行されたときに、
ユーザデバイスが非連続性受信（ＤＲＸ）モードであるときに、ユーザデバイスが規定のレートで１組の１つ以上の測定を行うことと、
サービングセルから受信した信号の信号条件を判定することと、
信号条件に基づいて、規定のレートを調整することと、
を含む動作を、処理デバイスに行わせる命令を含む、コンピュータが読み出し可能な記憶媒体。
２６．規定のレートで１組の１つ以上の該測定を行うことは、１つ以上の隣接セルを検出するための検出サイクル、または１つ以上の検出された隣接セルのパラメータを測定するための測定サイクルのうちの少なくとも１つを行うことを含む、付記２５に記載のコンピュータが読み出し可能な記憶媒体。
２７．測定サイクルを行うことは、
第１の規定のレートでの検出された隣接セルのそれぞれに対する周波数内測定、
第２の規定のレートでの検出された隣接セルのそれぞれに対する周波数間測定、および
第３の指定されたレートでの隣接セルの１つ以上に対する無線アクセス技術（ｒａｔ）間測定または検出、のうちの少なくとも１つを行うことを含み、
規定のレートを該調整することは、第１、第２、および第３の規定のレートのうちの１つ以上を調整することを含む、付記２５に記載のコンピュータが読み出し可能な記憶媒体。
【図１】
0005769870.tif 000002
【図２】
0005769870.tif 000003
【図３】
0005769870.tif 000004
【図４】
0005769870.tif 000005
【図５】
0005769870.tif 000006
【図６】
0005769870.tif 000007
【図７】
0005769870.tif 000008